(57)【特許請求の範囲】
【請求項１】
内線電話機と外線との通話機能を有するキーテレホンシステムであって、侵入者を検知するセンサを備え、該センサが侵入者を検知した際に、あらかじめ設定された遠隔電話機に対して、ネットワークを介して自動発呼し、該遠隔電話機が応答した際に、侵入者を検知したことを音声メッセージまたは検知通知音によって通知するキーテレホンシステムにおいて、
前記遠隔電話機から、侵入者が発する音をモニタする内線電話機を指定する制御信号を受け取った際に、該制御信号にて指定された内線電話機のマイク側のみを前記遠隔電話機に接続した片方向通話状態に設定し、
前記遠隔電話機から、第三者の外線電話装置への外線発信を指示する制御信号を受け取った際に、前記遠隔電話機と外線接続するために使用している外線とは異なる別の空きの外線を捕捉して、該制御信号にて指示された前記外線電話装置へのダイヤル発呼を行い、前記外線電話装置が応答した際に、前記２つの外線を利用して、当該外線電話装置、前記遠隔電話機、および、侵入者が発する音をモニタする前記内線電話機の３者通話状態に設定し、
前記遠隔電話機または前記外線電話装置から、侵入者が発する音をモニタする前記内線電話機を切り替えることを指示する制御信号を受け取った際に、該制御信号にて指定された内線電話機に切り替えて、当該内線電話機のマイクのみを前記遠隔電話機および／または前記外線電話装置に接続した片方向通話状態に設定することを特徴とするキーテレホンシステム。
【請求項２】
内線電話機と外線との通話機能を有するキーテレホンシステムであって、侵入者を検知するセンサを備え、該センサが侵入者を検知した際に、あらかじめ設定された遠隔電話機に対して、ネットワークを介して自動発呼し、該遠隔電話機が応答した際に、侵入者を検知したことを音声メッセージまたは検知通知音によって通知するキーテレホンシステムにおいて、
前記遠隔電話機から、侵入者が発する音をモニタする内線電話機を指定する制御信号を受け取った際に、該制御信号にて指定された内線電話機のマイク側のみを前記遠隔電話機に接続した片方向通話状態に設定し、
前記遠隔電話機から、第三者の外線電話装置への外線発信を指示する前記制御信号を受け取った際に、侵入者が発する音をモニタする前記内線電話機の接続を一旦保留状態にして、前記遠隔電話機と外線接続するために使用している外線とは異なる別の空きの外線を捕捉して、該制御信号にて指示された前記外線電話装置へのダイヤル発呼を行い、前記外線電話装置が応答した際に、前記２つの外線を利用して、当該外線電話装置と前記遠隔電話機との２者通話状態に設定し、
前記遠隔電話機または前記外線電話装置から、侵入者が発する音をモニタする前記内線電話機を追加接続して３者通話状態に切り替えることを指示する制御信号を受け取った際に、前記２つの外線を利用して、一旦保留状態にあった前記内線電話機、前記外線電話装置、および、前記遠隔電話機の３者通話状態に切り替え、
前記遠隔電話機または前記外線電話装置から、侵入者が発する音をモニタする前記内線電話機を切り替えることを指示する制御信号を受け取った際に、該制御信号にて指定された内線電話機に切り替えて、当該内線電話機のマイクのみを前記遠隔電話機および／または前記外線電話装置に接続した片方向通話状態に設定することを特徴とするキーテレホンシステム。
【請求項３】
前記内線電話機、前記外線電話装置、および、前記遠隔電話機の３者通話状態が、前記遠隔電話機と前記外線電話装置との間は双方向通話状態であり、前記内線電話機については、当該内線電話機のマイクから前記外線電話装置および前記遠隔電話機への片方向通話状態であることを特徴とする請求項１、又は２に記載のキーテレホンシステム。
【請求項４】
前記外線電話装置の宛先は、当該キーテレホンシステムに外線発信先としてあらかじめ登録されている電話番号、あるいは、前記遠隔電話機の操作により任意に選択されて、外線発信を指示する前記制御信号に外線発信先として含まれている電話番号であることを特徴とする請求項１〜３のいずれかに記載のキーテレホンシステム。
【請求項５】
前記内線電話機のマイクからの音を録音する録音装置を備え、前記遠隔電話機または前記外線電話装置から、侵入者が発する音の録音を指示する制御信号を受け取った際に、侵入者が発する音をモニタしている前記内線電話機のマイクからの音を前記録音装置に録音することを特徴とする請求項１〜４のいずれかに記載のキーテレホンシステム。
【請求項６】
前記遠隔電話機または前記外線電話装置から、侵入者に対する威嚇音の発出を指示する制御信号を受け取った際に、侵入者が発する音をモニタしている前記内線電話機のスピーカを接続して、音声による侵入者に対する威嚇音を発出することを特徴とする請求項１〜５のいずれかに記載のキーテレホンシステム。
【請求項７】
内線電話機と外線との通話機能を有するキーテレホンシステムによるセキュリティ監視方法であって、侵入者を検知するセンサを備え、該センサが侵入者を検知した際に、あらかじめ設定された遠隔電話機に対して、ネットワークを介して自動発呼し、該遠隔電話機が応答した際に、侵入者を検知したことを音声メッセージまたは検知通知音によって通知するセキュリティ監視方法において、
前記遠隔電話機から、侵入者が発する音をモニタする内線電話機を指定する制御信号を前記キーテレホンシステムが受け取った際に、該制御信号にて指定された内線電話機のマイク側のみを前記遠隔電話機に接続した片方向通話状態に設定し、
前記遠隔電話機から、第三者の外線電話装置への外線発信を指示する制御信号を前記キーテレホンシステムが受け取った際に、前記遠隔電話機と外線接続するために使用している外線とは異なる別の空きの外線を捕捉して、該制御信号にて指示された前記外線電話装置へのダイヤル発呼を行い、前記外線電話装置が応答した際に、前記２つの外線を利用して、当該外線電話装置、前記遠隔電話機、および、侵入者が発する音をモニタする前記内線電話機の３者通話状態に設定し、
前記遠隔電話機または前記外線電話装置から、侵入者が発する音をモニタする前記内線電話機を切り替えることを指示する制御信号を前記キーテレホンシステムが受け取った際に、該制御信号にて指定された内線電話機に切り替えて、当該内線電話機のマイクのみを前記遠隔電話機および／または前記外線電話装置に接続した片方向通話状態に設定する、
ことを特徴とするセキュリティ監視方法。
【請求項８】
内線電話機と外線との通話機能を有するキーテレホンシステムによるセキュリティ監視方法であって、侵入者を検知するセンサを備え、該センサが侵入者を検知した際に、あらかじめ設定された遠隔電話機に対して、ネットワークを介して自動発呼し、該遠隔電話機が応答した際に、侵入者を検知したことを音声メッセージまたは検知通知音によって通知するセキュリティ監視方法において、
前記遠隔電話機から、侵入者が発する音をモニタする内線電話機を指定する制御信号を受け取った際に、該制御信号にて指定された内線電話機のマイク側のみを前記遠隔電話機に接続した片方向通話状態に設定し、
前記遠隔電話機から、第三者の外線電話装置への外線発信を指示する前記制御信号を受け取った際に、侵入者が発する音をモニタする前記内線電話機の接続を一旦保留状態にして、前記遠隔電話機と外線接続するために使用している外線とは異なる別の空きの外線を捕捉して、該制御信号にて指示された前記外線電話装置へのダイヤル発呼を行い、前記外線電話装置が応答した際に、前記２つの外線を利用して、当該外線電話装置と前記遠隔電話機との２者通話状態に設定し、
前記遠隔電話機または前記外線電話装置から、侵入者が発する音をモニタする前記内線電話機を追加接続して３者通話状態に切り替えることを指示する制御信号を受け取った際に、前記２つの外線を利用して、一旦保留状態にあった前記内線電話機、前記外線電話装置、および、前記遠隔電話機の３者通話状態に切り替え、
前記遠隔電話機または前記外線電話装置から、侵入者が発する音をモニタする前記内線電話機を切り替えることを指示する制御信号を受け取った際に、該制御信号にて指定された内線電話機に切り替えて、当該内線電話機のマイクのみを前記遠隔電話機および／または前記外線電話装置に接続した片方向通話状態に設定することを特徴とするセキュリティ監視方法。
【請求項９】
前記内線電話機、前記外線電話装置、および、前記遠隔電話機の３者通話状態が、前記遠隔電話機と前記外線電話装置との間は双方向通話状態であり、前記内線電話機については、当該内線電話機のマイクから前記外線電話装置および前記遠隔電話機への片方向通話状態であることを特徴とする請求項７、又は８に記載のセキュリティ監視方法。
【請求項１０】
前記外線電話装置の宛先は、前記キーテレホンシステムに外線発信先としてあらかじめ登録されている電話番号、あるいは、前記遠隔電話機の操作により任意に選択されて、外線発信を指示する前記制御信号に外線発信先として含まれている電話番号であることを特徴とする請求項７〜９のいずれかに記載のセキュリティ監視方法。
【請求項１１】
前記内線電話機のマイクからの音を録音する録音装置を備え、前記遠隔電話機または前記外線電話装置から、侵入者が発する音の録音を指示する制御信号を前記キーテレホンシステムが受け取った際に、侵入者が発する音をモニタしている前記内線電話機のマイクからの音を前記録音装置に録音することを特徴とする請求項７〜１０のいずれかに記載のセキュリティ監視方法。
【請求項１２】
前記遠隔電話機または前記外線電話装置から、侵入者に対する威嚇音の発出を指示する制御信号を前記キーテレホンシステムが受け取った際に、侵入者が発する音をモニタしている前記内線電話機のスピーカを接続して、音声による侵入者に対する威嚇音を発出することを特徴とする請求項７〜１１のいずれかに記載のセキュリティ監視方法。
【請求項１３】
請求項７〜１２のいずれかに記載のセキュリティ監視方法を、コンピュータにより実行可能なプログラムとして実施していることを特徴とするセキュリティ監視プログラム。
【請求項１４】
請求項１３に記載のセキュリティ監視プログラムを、コンピュータにより読み取り可能な記録媒体に記録していることを特徴とするプログラム記録媒体。
【発明の詳細な説明】
【技術分野】
【０００１】
本発明は、キーテレホンシステム、セキュリティ監視方法、セキュリティ監視プログラムおよびプログラム記録媒体に関する。特に、本発明は、住宅やオフィスにおけるキーテレホンシステム、ホームセキュリティ装置の分野に好適に利用することができる。
【背景技術】
【０００２】
従来より、住宅やオフィスへの不法侵入を監視する仕組みが種々試みられている。その中の一つとして、例えば、特許文献１の特開２００７−１２４５２７号公報「構内電話機、電話システムおよび電話システムによるセキュリティ監視方法」にも記載されているように、住宅やオフィスへの不法侵入を監視するためにセンサなどを主要な場所に設置し、異常検知時に、あらかじめ設定している宛先に自動的に電話発信して、異常を通報し、外部から異常の状況をモニタしたり、異常に対して警報を発する構内交換機やテレホンシステム（電話システム）が提案されている。
【特許文献１】特開２００７−１２４５２７号公報（第４−５頁）
【発明の開示】
【発明が解決しようとする課題】
【０００３】
しかしながら、前記特許文献１のような従来の技術においては、住宅やオフィスなどの監視場所で不法侵入者を検知した際に、特定の通報先に対して自動的に発報し、該通報先の応答により、当該通報先だけが、キーテレホンシステムからの音声をモニタして、不法侵入者が発する音（「ごそごそ」や扉の開閉音など）を確認することが可能であるものの、特定の通報先だけでなく、例えば警察などのような第三者と、一緒に、不法侵入者が発する音を確認することはできず、不法行為の取り締まりを厳格に行い、犯罪の予防を可能にするまでには至っていないという問題がある。
【０００４】
本発明は、かかる事情に鑑みてなされたものであり、不法侵入などの異常が発生した際の発報先としてあらかじめ設定しておいた特定の遠隔電話機のみならず、任意に選択した、あるいは、あらかじめ設定しておいた第三者の外線電話装置とも接続して、３者接続状態で、監視場所の状況のモニタや威嚇音の発出を可能とするキーテレホンシステム、セキュリティ監視方法、セキュリティ監視プログラムおよびプログラム記録媒体を提供することを、その目的としている。
【０００５】
つまり、本発明は、キーテレホンに接続したセンサなどにより不法侵入を検知した際に、あらかじめ設定しておいた特定の通報先に自動発報し、不法侵入を検知した旨の自動発報を受け取った特定の通報先からの遠隔によるダイヤル操作によって、キーテレホンから任意の外線へ発信し、特定の通報先と外線発信先とを、遠隔操作により指定した内線電話機（キーテレホン）の通話パスに接続することにより、当該内線電話機（キーテレホン）周辺の音を通報先と外線発信先とで同時にモニタし、かつ、必要に応じて、通報先または外線発信先の遠隔操作によって、威嚇音の発出を行うことを可能とするキーテレホンシステム、セキュリティ監視方法、セキュリティ監視プログラムおよびプログラム記録媒体を提供することを、その目的としている。
【課題を解決するための手段】
【０００６】
前述の課題を解決するため、本発明によるキーテレホンシステムは、次のような特徴的な構成を採用している。
【０００７】
（１）内線電話機と外線との通話機能を有するキーテレホンシステムであって、侵入者を検知するセンサを備え、該センサが侵入者を検知した際に、あらかじめ設定された遠隔電話機に対して、ネットワークを介して自動発呼し、該遠隔電話機が応答した際に、侵入者を検知したことを音声メッセージまたは検知通知音によって通知するキーテレホンシステムにおいて、前記遠隔電話機から、侵入者が発する音をモニタする内線電話機を指定する制御信号を受け取った際に、該制御信号にて指定された内線電話機のマイク側のみを前記遠隔電話機に接続した片方向通話状態に設定するキーテレホンシステム。
【発明の効果】
【０００８】
本発明のキーテレホンシステム、セキュリティ監視方法、セキュリティ監視プログラムおよびプログラム記録媒体によれば、以下のような効果を得ることができる。
【０００９】
不法侵入者が侵入したことをキーテレホンシステムに接続したセンサにより検知した際に、あらかじめ設定した遠隔電話機への自動発呼を行い、該遠隔電話機のユーザは、不法侵入者が発する音（「ごそごそ」や扉などの開閉音）をモニタしながら、キーテレホンシステムの遠隔操作により、第三者へ通報するとともに、第三者にも不法侵入者が発する音を聴取させることが可能であり、セキュリティの効果を向上させることができる。
【００１０】
また、第三者を警備会社や警察等の緊急連絡先にすることにより、緊急連絡先に侵入者が居る現場の状況を素早く知らせることができ、犯罪発生を未然に防止することにも繋げることができる。
【発明を実施するための最良の形態】
【００１１】
以下、本発明によるキーテレホンシステム、セキュリティ監視方法、セキュリティ監視プログラムおよびプログラム記録媒体の好適な実施形態について添付図を参照して説明する。なお、以下の説明においては、本発明によるキーテレホンシステム、セキュリティ監視方法について説明するが、かかるセキュリティ監視方法をコンピュータにより実行可能なセキュリティ監視プログラムとして実施するようにしても良いし、あるいは、セキュリティ監視プログラムをコンピュータにより読み取り可能な記録媒体に記録するようにしても良いことは言うまでもない。
【００１２】
（本発明の特徴）
本発明の実施形態の説明に先立って、本発明の特徴について、その概要をまず説明する。本発明は、住宅やオフィスなど、監視対象の場所に設置されたキーテレホンシステムとして、不法侵入者をセンサによって検知し、あらかじめ発報先として設定しておいた電話番号に自動発報し、発報先からの遠隔操作により、指定した内線電話機（キーテレホン）のマイクから周辺の音響をモニタすることができる機能を備え、周辺の音響のモニタ中に、発報先からの遠隔操作により、当該キーテレホンシステムから第三者の外線電話装置へ発信し、外線発信先の外線電話装置が応答した際に、外線発信先と自動発報先とが、同時に、モニタ中の内線電話機（キーテレホン）と通話中の状態（３者通話状態）に設定されて、当該内線電話機（キーテレホン）のマイクからの音響を、外線発信先と自動発報先とで同時にモニタすることができることを主な特徴としている。外線発信先としては、例えば、管理センタ、警察や警備会社などが想定される。
【００１３】
図１は、本発明によるキーテレホンシステムの動作の一例を説明する説明図であり、図１（Ａ）から図１（Ｅ）に至るまでの各動作を行うことにより、発報先としてあらかじめ設定した特定の遠隔電話機と任意に選択した第三者の外線電話装置との双方で、遠隔操作により指定した、キーテレホンシステムの内線電話機のマイクからの音響をモニタする動作の一例を示している。図１に示すキーテレホンシステム１０は、不審者の不法侵入を検知するセンサ１１と、内線電話機Ａ  １０Ａ、内線電話機Ｂ  １０Ｂとを少なくとも接続しており、公衆網または私設網２０を介して、あらかじめ設定した特定の遠隔電話機３０や任意に選択した外線電話装置４０と接続することができる。
【００１４】
図１（Ａ）に示すように、キーテレホンシステム１０に接続したセンサ１１が不法侵入者を検知した際、キーテレホンシステム１０は、空いている回線を捕捉して、当該キーテレホンシステム１０に発報先としてあらかじめ設定されていた遠隔電話機３０の電話番号へ発報（発信）する。該発報を受信した遠隔電話機３０が応答すると、キーテレホンシステム１０から不法侵入者を検知した旨が音声ガイダンスまたは検知通知音によって送出される。
【００１５】
次に、図１（Ｂ）に示すように、不法侵入者を検知した旨の通報を受け取った遠隔電話機３０からのダイヤル操作により、キーテレホンシステム１０に接続されている内線電話機Ａ  １０Ａ、内線電話機Ｂ  １０Ｂのいずれか例えば内線電話機Ａ  １０Ａを、周辺の音響をモニタするための電話機として指定する。キーテレホンシステム１０においては、遠隔電話機３０からのダイヤル情報(ＰＢ信号あるいはキーパッドなどによる内線電話機選択情報)を受信すると、指定された内線電話機例えば内線電話機Ａ  １０Ａのマイクをオンする。この結果、当該内線電話機例えば内線電話機Ａ  １０Ａのマイクが拾った周辺の音響は、当該キーテレホンシステム１０に公衆網または私設網２０を介して通話接続されている遠隔電話機３０へ転送される。
【００１６】
遠隔電話機３０において、キーテレホンシステム１０の指定した内線電話機例えば内線電話機Ａ  １０Ａからの音響として不法侵入者が発している音（「ごそごそ」や扉の開閉音や声など）を確認することができた場合、図１（Ｃ）に示すように、不法侵入者の存在を、第三者にも確認させるために、任意に選択した外線電話装置４０の宛先を、ダイヤル操作することにより、外線電話装置４０へ発信させる。この時、不法侵入者が発する音をモニタ中のキーテレホンシステム１０の内線電話機例えば内線電話機Ａ  １０Ａのマイクを一旦オフする。
【００１７】
発信先の外線電話装置４０が応答すると、遠隔電話機３０と外線電話装置４０とが、キーテレホンシステム１０の内線電話機例えば内線電話機Ａ  １０Ａに一緒に接続された３者通話状態に設定され、図１（Ｄ）に示すように、遠隔電話機３０のユーザは、外線電話装置４０のユーザに対して、例えば、「不法侵入者がいます。周辺の音を聞いて下さい。」などのメッセージを伝達し、外線電話装置４０のユーザから「了解しました。」との応答を確認する。
【００１８】
外線電話装置４０のユーザからの応答を確認した遠隔電話機３０のユーザは、図１（Ｅ）に示すように、遠隔電話機３０のダイヤル操作によって、キーテレホンシステム１０の指定された内線電話機例えば内線電話機Ａ  １０Ａのマイクを再びオンし、不法侵入者が発している音や声を、遠隔電話機３０のユーザのみならず、外線電話装置４０のユーザも確認する状態になる。
【００１９】
ここで、図１（Ｅ）に示すように、不法侵入者が場所を移動して、内線電話機Ａ  １０Ａのマイクから何の音も聞こえなくなっていた場合、遠隔電話機３０または外線電話装置４０からのダイヤル操作によって、キーテレホンシステム１０の他の内線電話機例えば内線電話機Ｂ  １０Ｂを、周辺の音響をモニタするための電話機として選択し直して、切り替えることができる。
【００２０】
なお、図１（Ｄ）において、遠隔電話機３０と外線電話装置４０とキーテレホンシステム１０の内線電話機例えば内線電話機Ａ  １０Ａとは３者通話状態に設定されるが、通話路は、遠隔電話機３０と外線電話装置４０とは、双方向接続となって、双方で会話することができ、かつ、キーテレホンシステム１０のモニタ電話機つまり指定された内線電話機例えば内線電話機Ａ  １０Ａの周辺の音を聞くことができる。しかし、モニタ電話機つまり指定された内線電話機例えば内線電話機Ａ  １０Ａは、マイク側の片方向のみに音声電流が供給されており、スピーカは駆動されない状態であり、遠隔電話機３０と外線電話装置４０との通話内容を聞くことはできない。
【００２１】
（本発明の実施形態の構成）
図２は、本発明によるキーテレホンシステムの全体構成の一例を示すブロック構成図であり、図１にて説明したように、キーテレホンシステム１０の主装置には、内線側に内線電話機Ａ  １０Ａ、内線電話機Ｂ  １０Ｂ、および、不法侵入者を検知するセンサ１１が接続され、外線側には、公衆電話網ＰＳＴＮ（Public  Switched  Telephone  Network）２０が接続されている例を示している。なお、公衆電話網ＰＳＴＮ２０には、図１に示すように、不法侵入者検知時における発報先としてあらかじめ設定されている遠隔電話機３０、および、遠隔電話機３０からの遠隔ダイヤル操作により任意に選択される、または、あらかじめ設定されている外線発信先つまり第三者の外線電話装置４０が接続されている。
【００２２】
キーテレホンシステム１０の主装置内部は、内線電話機インターフェース部１２、スイッチ部１３、外線インターフェース部１４、センサインターフェース部（センサＩ／Ｆ：Interface）１５、ＰＢ信号検出部１６、音声案内送出部１７、制御部１８、および、記憶部１９、を少なくとも含んで構成されている。
【００２３】
内線電話機インターフェース部１２は、内線側に接続されている内線電話機Ａ  １０Ａ、内線電話機Ｂ  １０Ｂとのインターフェースを司る部位である。外線インターフェース部１４は、公衆電話網ＰＳＴＮ２０とのインターフェースを司り、遠隔電話機３０や外線電話装置４０との接続・音声通話・切断などの動作を行う。スイッチ部１３は、内線電話機インターフェース部１２に接続された内線電話機Ａ  １０Ａ、内線電話機Ｂ  １０Ｂと外線インターフェース部１４に接続された公衆電話網ＰＳＴＮ２０との通話路の接続状態や切断状態を切り替えるスイッチング機能を司り、２者間接続のみならず、３者接続を行うことも可能である。
【００２４】
センサインターフェース部１５は、センサ１１からの不法侵入者の検知情報を制御部１８に送信する部位である。ＰＢ信号検出部１６は、遠隔電話機３０や外線電話装置４０から公衆電話網ＰＳＴＮ２０を介して送信されてくるＰＢ信号（ダイヤル信号や制御信号）を受信する部位であり、キーパッドを用いてキー情報としてダイヤル情報や制御信号を送信してくる場合には、キー受信部を備えるようにしても良い。音声案内送出部１７は、遠隔電話機３０や外線電話装置４０に対する各種の音声メッセージを送出する部位である。
【００２５】
制御部１８は、キーテレホンシステム１０全体の動作を制御する部位であり、センサ１１からの不法侵入者の有無を示す信号を処理するセンサ処理部１８ａ、ＰＢ信号検出部１６が受信した遠隔電話機３０や外線電話装置４０からのＰＢ信号の制御内容を解析する信号解析部１８ｂ、通報先となる遠隔電話機３０や外線電話装置４０への通報を行うために音声案内送出部１７へ各種の音声メッセージを送信する通報部１８ｃ、および、内線電話機Ａ  １０Ａ、内線電話機Ｂ  １０Ｂに関する呼処理を行う呼処理部１８ｄが少なくとも備えられている。また、記憶部１９には、制御部１８の動作を実行する制御プログラム例えばセキュリティ監視プログラムなどが記憶されているとともに、遠隔電話機３０の電話番号や、場合によっては、外線電話装置４０の電話番号をあらかじめ設定登録する宛先情報テーブル１９ａが記憶されている。
【００２６】
なお、図２には、キーテレホンシステム１０と遠隔電話機３０、外線電話装置４０との接続用のネットワークとして、公衆電話網ＰＳＴＮ２０を用いる例を示したが、図１に示すように、公衆網ではなく私設網であっても良い。
【００２７】
（本発明の実施形態の動作例）
次に、図１、図２に示すようなシステム構成のキーテレホンシステム１０に接続されているセンサ１１によって不法侵入者を検知した場合の動作の一例を図３に示す状態遷移図を用いて、以下に説明する。図３は、本発明によるキーテレホンシステムの動作の一例を示す状態遷移図であり、図１、図２に示したようなシステム構成の場合を例にとって説明している。
【００２８】
図３の状態遷移図において、センサ１１によって不法侵入者の検知中の状態において（ステータスＳＴ１）、センサ１１からの信号に基づいてセンサ処理部１８ａにて不法侵入者を検知した場合（プロセスＰ１）、キーテレホンシステム１０は、空いている回線を捕捉して（プロセスＰ２）、キーテレホンシステム１０の宛先情報テーブル１９ａにあらかじめ設定されている電話番号の遠隔電話機３０へ自動的に発報（発信）して（プロセスＰ３）、自動発報中の状態に遷移する（ステータスＳＴ２）。
【００２９】
自動発報中の状態（ステータスＳＴ２）において、キーテレホンシステム１０が発報先の遠隔電話機３０からの応答を外線インターフェース部１４にて検出すると（プロセスＰ４）、音声ガイダンスまたは検知通知音によって、不法侵入者を検知した旨を通報部１８ｃから音声案内送出部１７を介して発報先の遠隔電話機３０に通知して（プロセスＰ５）、遠隔電話機３０による遠隔操作待ちの状態に遷移する（ステータスＳＴ３）。遠隔操作待ちの状態（ステータスＳＴ３）においては、ＰＢ信号検出部１６つまりＰＢレシーバの接続など、遠隔電話機３０の遠隔操作によるＰＢ信号を受信するための準備を行っている。
【００３０】
遠隔操作待ちの状態（ステータスＳＴ３）において、キーテレホンシステム１０は、遠隔電話機３０からのダイヤル情報(ＰＢ信号やキーパッドなどによるダイヤル情報)をＰＢ信号検出部１６にて受信すると（プロセスＰ６）、受信したダイヤル情報を信号解析部１８ｂにて分析して、不法侵入者が発する音をモニタする内線電話機を選択する内線電話機指定であった場合には、呼処理部１８ｄにて指定された内線電話機例えば内線電話機Ａ  １０Ａのマイクをオンして、当該マイクから遠隔電話機３０までの通話路を接続し（プロセスＰ７）、不法侵入者が発する音をモニタする状態に遷移する（ステータスＳＴ４）。
【００３１】
不法侵入者が発する音のモニタ中の状態（ステータスＳＴ４）において、キーテレホンシステム１０が、遠隔電話機３０からのダイヤル情報(ＰＢ信号やキーパッドなどによるダイヤル情報)をＰＢ信号検出部１６にて受信すると（プロセスＰ８）、受信したダイヤル情報を信号解析部１８ｂにて分析して、任意に選択した第三者の外線電話装置４０への接続要求であった場合には、呼処理部１８ｄにてオンしていた内線電話機例えば内線電話機Ａ  １０Ａのマイクを一旦オフして（プロセスＰ９）、しかる後、受信していたダイヤル情報の宛先の外線電話装置４０に対して発信して（プロセスＰ１０）、外線発信中の状態に遷移する（ステータスＳＴ５）。
【００３２】
外線発信中の状態（ステータスＳＴ５）において、キーテレホンシステム１０が外線発信先の外線電話装置４０からの応答を外線インターフェース部１４にて検出すると（プロセスＰ１１）、呼処理部１８ｄにて一旦オフしていた内線電話機例えば内線電話機Ａ  １０Ａのマイクをオンする（プロセスＰ１２）。しかる後、キーテレホンシステム１０、遠隔電話機３０、外線電話装置４０の３者通話状態に設定する。
【００３３】
ここで、３者通話状態としては、発報先の遠隔電話機３０と外線発信先の外線電話装置４０とは双方向の音声通話が可能な状態に設定されて、相互の会話は可能であり、発報先の遠隔電話機３０のユーザから外線発信先の外線電話装置４０のユーザに対して、不法侵入者を検知した旨と、不法侵入者が発する音をモニタする旨の連絡を行うことが可能である。一方、キーテレホンシステム１０と遠隔電話機３０、外線電話装置４０との間は片方向の音声転送状態に設定される。
【００３４】
すなわち、キーテレホンシステム１０から遠隔電話機３０、外線電話装置４０への音声情報の転送は可能である（つまり、オンした内線電話機例えば内線電話機Ａ  １０Ａのマイク通話路は設定状態になる）が、遠隔電話機３０、外線電話装置４０からキーテレホンシステム１０への音声情報の転送は不可能な状態に設定（つまり、遠隔電話機３０と外線電話装置４０との会話内容が不法侵入者側に漏れないように、内線電話機例えば内線電話機Ａ  １０Ａのスピーカ通話路は切断状態に設定）して（プロセスＰ１３）、不法侵入者が発する音を遠隔電話機３０、外線電話装置４０との双方で同時モニタする同時モニタ中の状態に遷移する（ステータスＳＴ６）。
【００３５】
モニタ中の状態（ステータスＳＴ４）または同時モニタ中の状態（ステータスＳＴ６）において、キーテレホンシステム１０が、遠隔電話機３０または外線電話装置４０からのダイヤル情報をＰＢ信号検出部１６にて受信して、受信したダイヤル情報を信号解析部１８ｂにて分析した結果、不法侵入者が発する音をモニタする内線電話機を切り替える内線電話機切替指定であった場合には、呼処理部１８ｄにて不法侵入者が発する音をモニタする内線電話機の切替処理を行う。
【００３６】
すなわち、今までモニタしていた内線電話機例えば内線電話機Ａ  １０Ａのマイクをオフして、オフした遠隔電話機３０および／または外線電話装置４０までの通話路をスイッチ部１３にて切断する一方、切替指定されている内線電話機例えば内線電話機Ｂ  １０Ｂのマイクをオンして、オンした内線電話機例えば内線電話機Ｂ  １０Ｂのマイクから遠隔電話機３０および／または外線電話装置４０までの通話路を接続する。
【００３７】
この結果、不法侵入者が移動して、今までオンしていた内線電話機例えば内線電話機Ａ  １０Ａのマイクから不法侵入者が発する音が聞こえなくなった場合には、他の内線電話機例えば内線電話機Ｂ  １０Ｂに切り替えて、不法侵入者の追跡モニタを行うことができる。
【００３８】
次に、図３の状態遷移図にて前述したキーテレホンシステムの動作を、シーケンスチャートを用いてさらに説明する。図４は、本発明によるキーテレホンシステムの動作の一例を示すシーケンスチャートであり、図１、図２に示すキーテレホンシステム１０のシステム構成を例にとって、センサ１１が、不法侵入者が侵入したという異常を検知した以降の動作シーケンスを示している。
【００３９】
図４において、まず、不法侵入者が侵入したという異常を示すセンサ検出信号をセンサ１１からキーテレホンシステム１０の主装置に対して送信すると（シーケンスＳＥＱ１）、該センサ検出信号を受信したキーテレホンシステム１０の制御部１８の呼処理部１８ｄは、空き状態にある外線を探索して、空きの外線１を捕捉して、記憶部１９の宛先情報テーブル１９ａに電話番号があらかじめ設定されている発報先の遠隔電話機３０宛のダイヤル発呼を行う（シーケンスＳＥＱ２）。
【００４０】
着信を受け付けた発報先の遠隔電話機３０のユーザが着信応答操作を行うと、応答信号がキーテレホンシステム１０の主装置に返送されてくる（シーケンスＳＥＱ３）。遠隔電話機３０からの応答信号を受け取ったキーテレホンシステム１０の主装置は、通報部１８ｃから音声案内送出部１７を介して、不法侵入者を検知した旨を示す音声ガイダンスを、遠隔電話機３０に対して送出する。
【００４１】
キーテレホンシステム１０からの音声ガイダンスを聞いた遠隔電話機３０のユーザは、ダイヤル操作を行い、任意に選択したキーテレホンシステム１０の内線電話機の電話番号を、不法侵入者が発する音をモニタする電話機として指定する制御信号を入力すると、該電話番号はＰＢ信号として、キーテレホンシステム１０の主装置へ転送される。モニタ用の内線電話機を指定した制御信号（ＰＢ信号）をＰＢ信号検出部１６にて受信したキーテレホンシステム１０の主装置は、該制御信号に指定された内線電話機例えば内線電話機Ａ  １０Ａのマイクを起動してオンにする（シーケンスＳＥＱ４）
【００４２】
さらに、キーテレホンシステム１０の主装置は、指定された内線電話機例えば内線電話機Ａ  １０Ａのマイクを、スイッチ部１３を介して遠隔電話機３０に外線接続することによって、モニタ用の内線電話機と遠隔電話機３０との通話状態を確立する。この結果、指定した内線電話機例えば内線電話機Ａ  １０Ａのマイクが収集している周囲の音が、遠隔電話機３０へ送出され、遠隔電話機３０のユーザは、不法侵入者が発する音（「ごそごそ」とか扉などを開閉する音）を聴取するモニタ状態になる（シーケンスＳＥＱ５）。
【００４３】
もし、指定した内線電話機例えば内線電話機Ａ  １０Ａのマイクから音が聞こえない場合、遠隔電話機３０のユーザは、不法侵入者が他の場所から侵入したかあるいは他の場所に移動した可能性があるものとして、不法侵入者が発する音をモニタする位置を変えることができる。かかる場合、遠隔電話機３０のユーザは、モニタ用内線電話機を、指定していた内線電話機例えば内線電話機Ａ  １０Ａから他の内線電話機例えば内線電話機Ｂ  １０Ｂへ切り替えるために、ダイヤル操作を行い、キーテレホンシステム１０の内線電話機例えば内線電話機Ｂ  １０Ｂの電話番号を、モニタ用内線電話機の切替指示用の制御信号として入力すると、該電話番号はＰＢ信号として、キーテレホンシステム１０の主装置へ転送される（シーケンスＳＥＱ６）。
【００４４】
モニタ用の内線電話機の切替指示の制御信号（ＰＢ信号）をＰＢ信号検出部１６にて受信したキーテレホンシステム１０の主装置は、今までマイクをオンしていた内線電話機例えば内線電話機Ａ  １０Ａのマイクをオフするとともに、該制御信号に指定された他の内線電話機例えば内線電話機Ｂ  １０Ｂのマイクを起動してオンにする。さらに、キーテレホンシステム１０の主装置は、今まで外線接続していた内線電話機例えば内線電話機Ａ  １０Ａの接続を切断して、切替指定された内線電話機例えば内線電話機Ｂ  １０Ｂのマイクを、スイッチ部１３を介して遠隔電話機３０に外線接続することによって、通話状態が確立する。この結果、モニタ用内線電話機として切替指定された内線電話機例えば内線電話機Ｂ  １０Ｂのマイクが収集している周囲の音が、遠隔電話機３０へ送出され、遠隔電話機３０のユーザは、不法侵入者が発する音（「ごそごそ」とか扉などを開閉する音）を聴取するモニタ状態になる（シーケンスＳＥＱ７）。
【００４５】
ここで、警備会社や警察などの第三者に対しても、不法侵入者が発する音を聞いてもらおうとする場合、遠隔電話機３０のユーザは、任意に選択した第三者の外線電話装置４０の電話番号を、不法侵入者が発する音を聴取する第三者の電話装置として指定する制御信号を入力すると、該電話番号はＰＢ信号として、キーテレホンシステム１０の主装置へ転送される（シーケンスＳＥＱ８）。
【００４６】
不法侵入者が発する音を聴取する第三者の電話機を指定した制御信号（ＰＢ信号）をＰＢ信号検出部１６にて受信したキーテレホンシステム１０の主装置は、該制御信号に指定された外線電話装置４０と接続する発信動作を行うために、マイクがオンしている内線電話機例えば内線電話機Ｂ  １０Ｂのマイクを一旦オフした後、遠隔電話機３０と外線接続するために使用している外線１とは異なる別の空きの外線２を捕捉して、前記制御信号に指定された外線電話装置４０の電話番号宛にダイヤル発呼を行う（シーケンスＳＥＱ９）。
【００４７】
着信を受け付けた指定発信先の外線電話装置４０のユーザが着信応答操作を行うと、応答信号がキーテレホンシステム１０の主装置に返送されてくる（シーケンスＳＥＱ１０）。遠隔電話機３０からの応答信号を受け取ったキーテレホンシステム１０の主装置は、スイッチ部１３を介して、外線電話装置４０、遠隔電話機３０、マイクを一旦オフした内線電話機例えば内線電話機Ｂ  １０Ｂの３者接続状態に設定する。３者接続状態は、外線電話装置４０と遠隔電話機３０との間は、双方向通話が可能な状態に設定されるが、内線電話機例えば内線電話機Ｂ  １０Ｂについてはマイクのみが接続され、スピーカは接続されない片方向通話状態に設定される。
【００４８】
しかる後、一旦オフした内線電話機例えば内線電話機Ｂ  １０Ｂのマイクをオンする（シーケンスＳＥＱ１１）。遠隔電話機３０のユーザは、外線発信先として任意に選択した第三者の外線電話装置４０のユーザに対して、不法侵入者がいるという異常状態を説明するとともに、マイクをオンした内線電話機例えば内線電話機Ｂ  １０Ｂから、不法侵入者が発する音を、外線電話装置４０のユーザにも聴取してもらうことができる。なお、内線電話機例えば内線電話機Ｂ  １０Ｂのスピーカは接続されていないので、遠隔電話機３０のユーザと外線電話装置４０のユーザとの会話内容が不法侵入者側に漏れることはない。
【００４９】
以上のように、図４に示すシーケンスチャートは、不法侵入者が発する音をモニタしている内線電話機Ｂ  １０Ｂと遠隔電話機３０との通話状態（内線電話機Ｂ  １０Ｂのマイクから遠隔電話機３０への片方向のみの通話状態）が確立されて、不法侵入者が発する音をモニタしている状態で、キーテレホンシステム１０は、遠隔電話機３０のユーザが任意に選択した第三者（警備会社や警察など）の外線電話装置４０への空き外線を捕捉して、外線電話装置４０へダイヤル発呼することができる場合を示している。
【００５０】
したがって、シーケンスＳＥＱ８において、遠隔電話機３０が、不法侵入者が発する音を聴取する第三者の外線電話装置４０を指定する制御信号を送信してくると、キーテレホンシステム１０は、シーケンスＳＥＱ９において、空きの外線２を捕捉した時点で、ネットワークからのダイヤルトーン（発信音）を受け取ることによって、ダイヤル発呼することになる。
【００５１】
しかる後、シーケンスＳＥＱ１０において、外線電話装置４０からの応答信号を受け取ると、キーテレホンシステム１０は、スイッチ部１３を介して、遠隔電話機３０と内線電話機Ｂ  １０Ｂとの２者通話状態（内線電話機Ｂ  １０Ｂのマイクから遠隔電話機３０への片方向通話状態）から遠隔電話機３０と外線電話装置４０と内線電話機Ｂ  １０Ｂとの３者通話状態（遠隔電話機３０と外線電話装置４０とは双方向通話状態、内線電話機Ｂ  １０Ｂについては、内線電話機Ｂ  １０Ｂのマイクから遠隔電話機３０、外線電話装置４０への片方向通話状態）に切り替える。
【００５２】
なお、キーテレホンシステム１０への遠隔制御用として、遠隔電話機３０から、モニタ用の内線電話機の指定や、第三者の外線電話装置４０への外線発信などを指示する制御信号を、ＰＢ信号の代わりに、キーパッドなどから入力されたキー情報を示す信号を用いるようにしても良い。
【００５３】
（他の実施形態）
次に、本発明によるキーテレホンシステムの図４とは異なる動作を行う例について説明する。図５は、本発明によるキーテレホンシステムの動作の図４とは異なる例を示すシーケンスチャートであり、図１、図２に示すキーテレホンシステム１０のシステム構成を例にとって、センサ１１が、不法侵入者が侵入したという異常を検知した以降の動作シーケンスを示している。ここで、前述した図４のシーケンスチャートにおいては、第三者の外線電話装置４０への発信動作を行う場合、不法侵入者が発する音をモニタするモニタ用内線電話機をそのまま接続している状態で発信動作を行い、第三者の外線電話装置４０が応答した際に、２者通話状態から３者通話状態に切り替える動作を説明した。
【００５４】
これに対して、本実施形態の図５のシーケンスチャートにおいては、第三者の外線電話装置４０への発信動作を行う場合、不法侵入者が発する音をモニタするモニタ用内線電話機を一旦保留状態に設定して発信動作を行い、第三者の外線電話装置４０が応答した際に、遠隔電話機３０と第三者の外線電話装置４０との２者通話状態（双方向通話状態）に設定して、遠隔電話機３０のユーザと外線電話装置４０のユーザとの会話を行い、しかる後、遠隔電話機３０からの３者通話状態への切替を指示する制御信号を受け取ることによって、保留していたモニタ用内線電話機を追加接続することによって、２者通話状態から３者通話状態（ただし、遠隔電話機３０、外線電話装置４０間は双方向通話状態、モニタ用内線電話機については、モニタ用内線電話機のマイクから遠隔電話機３０、外線電話装置４０への片方向通話状態）に切り替える動作を行う。
【００５５】
図５のシーケンスチャートにおいて、シーケンスＳＥＱ１からシーケンスＳＥＱ８までの動作は、図４の場合と全く同様であり、ここでのさらなる説明は省略する。不法侵入者が発する音を聴取する第三者の電話機を指定した制御信号（ＰＢ信号）をＰＢ信号検出部１６にて受信したキーテレホンシステム１０の主装置は、図４のシーケンスチャートとは異なり、該制御信号に指定された外線電話装置４０と接続する発信動作を行うために、マイクがオンしている内線電話機例えば内線電話機Ｂ  １０Ｂのマイクを一旦オフするとともに、接続状態を保留状態に設定して、スイッチ部１３の接続を開放した後、遠隔電話機３０と外線接続するために使用している外線１とは異なる別の空きの外線２を捕捉して、前記制御信号に指定された外線電話装置４０の電話番号宛にダイヤル発呼を行う（シーケンスＳＥＱ９）。
【００５６】
着信を受け付けた指定発信先の外線電話装置４０のユーザが着信応答操作を行うと、応答信号がキーテレホンシステム１０の主装置に返送されてくる（シーケンスＳＥＱ１０）。遠隔電話機３０からの応答信号を受け取ったキーテレホンシステム１０の主装置は、スイッチ部１３を介して、外線電話装置４０と遠隔電話機３０との２者接続状態に設定する（シーケンスＳＥＱ１１）。ここで、２者接続状態は、外線電話装置４０と遠隔電話機３０との間の、双方向通話が可能な状態であり、遠隔電話機３０のユーザは、外線発信先として任意に選択した第三者の外線電話装置４０のユーザに対して、不法侵入者がいるという異常状態を説明することができる。
【００５７】
ここで、警備会社や警察などの第三者に対しても、不法侵入者が発する音を聞いてもらうために、遠隔電話機３０のユーザは、一旦保留状態にあるモニタ用内線電話機例えば内線電話機Ｂ  １０Ｂを接続した、３者通話状態に切り替えて、不法侵入者が発する音を第三者の外線電話装置４０のユーザに聞いてもらうということを指示する制御信号を入力すると、該制御番号はＰＢ信号として、キーテレホンシステム１０の主装置へ転送される（シーケンスＳＥＱ１２）。なお、本制御信号を、遠隔電話機３０ではなく、外線電話装置４０から入力するようにしても良い。
【００５８】
保留状態にあるモニタ用内線電話機例えば内線電話機Ｂ  １０Ｂを接続し、かつ、不法侵入者が発する音を第三者の外線電話装置４０のユーザに聞いてもらうということを指示する制御信号（ＰＢ信号）をＰＢ信号検出部１６にて受信したキーテレホンシステム１０の主装置は、保留状態にあった内線電話機例えば内線電話機Ｂ  １０Ｂのマイクをオンするとともに、当該内線電話機例えば内線電話機Ｂ  １０Ｂをスイッチ部１３を介して遠隔電話機３０、外線電話装置４０との双方に接続する３者通話状態（ただし、遠隔電話機３０、外線電話装置４０間は双方向通話状態、モニタ用内線電話機については、モニタ用内線電話機のマイクから遠隔電話機３０、外線電話装置４０への片方向通話状態）に切り替える（シーケンスＳＥＱ１３）
【００５９】
かくのごとく、遠隔電話機３０のユーザは、外線発信先として任意に選択した第三者の外線電話装置４０のユーザに対して、不法侵入者がいるという異常状態を説明した後、保留しておいた内線電話機例えば内線電話機Ｂ  １０Ｂのマイクをオンして再接続（３者接続）することにより、内線電話機例えば内線電話機Ｂ  １０Ｂから、不法侵入者が発する音を、当該遠隔電話機３０のユーザが聴取することができると同時に、外線電話装置４０のユーザにも聴取してもらうことができる。なお、内線電話機例えば内線電話機Ｂ  １０Ｂのスピーカは接続されていないので、遠隔電話機３０のユーザと外線電話装置４０のユーザとの会話内容が不法侵入者側に漏れることはない。
【００６０】
なお、以上の各実施形態の説明においては、発報先の遠隔電話機３０および／または外線発信先の外線電話装置４０は、不法侵入者が発する音をキーテレホンシステム１０の内線電話機Ａ  １０Ａ、内線電話機Ｂ  １０Ｂのマイクによりモニタする場合について説明したが、本発明は、かかる場合のみに限るものではない。例えば、モニタするだけでなく、発報先の遠隔電話機３０および／または外線発信先の外線電話装置４０は、遠隔操作により、キーテレホンシステム１０の内線電話機Ａ  １０Ａ、内線電話機Ｂ  １０Ｂのスピーカを接続して、遠隔電話機３０および／または外線電話装置４０からの音声を用いて、不法侵入者に対する威嚇音を発することも可能である。
【００６１】
あるいは、発報先の遠隔電話機３０および／または外線発信先の外線電話装置４０の遠隔操作により、キーテレホンシステム１０の内線電話機Ａ  １０Ａ、内線電話機Ｂ  １０Ｂのマイクから収集される周辺の音響のモニタ内容を録音するようにすることもできる。
【００６２】
あるいは、発報先の遠隔電話機３０の遠隔ダイヤル操作による外線発信先となる外線電話装置４０の電話番号をキーテレホンシステム１０にあらかじめ登録することによって、発報先の遠隔電話機３０のユーザは、任意の外線発信先へのダイヤル操作をするのではなく、あらかじめ登録されている固定の外線電話装置４０への接続を指示する遠隔操作を行うようにするだけで、同時モニタ中の状態に遷移することも可能である。
【００６３】
（実施形態の効果の説明）
不法侵入者が侵入したことをキーテレホンシステムに接続したセンサにより検知した際に、あらかじめ設定した遠隔電話機への自動発呼を行い、該遠隔電話機のユーザは、不法侵入者が発する音（「ごそごそ」や扉などの開閉音）をモニタしながら、キーテレホンシステムの遠隔操作により、第三者へ通報するとともに第三者にも不法侵入者が発する音を聴取させることが可能であり、セキュリティの効果を向上させることができる。
【００６４】
また、第三者を警備会社や警察等の緊急連絡先にすることにより、緊急連絡先に侵入者が居る現場の状況を素早く知らせることができ、犯罪発生を未然に防止することにも繋げることができる。
【００６５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記遠隔電話機から、第三者の外線電話装置への外線発信を指示する制御信号を受け取った際に、該制御信号にて指示された前記外線電話装置へのダイヤル発呼を行い、前記外線電話装置が応答した際に、当該外線電話装置、前記遠隔電話機、および、侵入者が発する音をモニタする前記内線電話機の３者通話状態に切り替える上記（１）のキーテレホンシステム。
（３）前記遠隔電話機から、第三者の外線電話装置への外線発信を指示する制御信号を受け取った際に、侵入者が発する音をモニタする前記内線電話機の接続を一旦保留状態にして、前記制御信号にて指示された前記外線電話装置へのダイヤル発呼を行い、前記外線電話装置が応答した際に、当該外線電話装置と前記遠隔電話機との２者通話状態に設定する上記（１）のキーテレホンシステム。
（４）前記遠隔電話機または前記外線電話装置から、侵入者が発する音をモニタする前記内線電話機を追加接続して３者通話状態に切り替えることを指示する制御信号を受け取った際に、一旦保留状態にあった前記内線電話機、前記外線電話装置、および、前記遠隔電話機の３者通話状態に切り替える上記（３）のキーテレホンシステム。
（５）前記内線電話機、前記外線電話装置、および、前記遠隔電話機の３者通話状態が、前記内線電話機と前記外線電話装置との間は双方向通話状態であり、前記内線電話機については、当該内線電話機のマイクから前記外線電話装置および前記遠隔電話機への片方向通話状態である上記（２）ないし（４）のいずれかのキーテレホンシステム。
（６）前記外線電話装置の宛先は、当該キーテレホンシステムに外線発信先としてあらかじめ登録されている電話番号、あるいは、前記遠隔電話機の操作により任意に選択されて、外線発信を指示する前記制御信号に外線発信先として含まれている電話番号であることを上記（２）ないし（５）のいずれかのキーテレホンシステム。
（７）前記遠隔電話機または前記外線電話装置から、侵入者が発する音をモニタする前記内線電話機を切り替えることを指示する制御信号を受け取った際に、該制御信号にて指定された内線電話機に切り替えて、当該内線電話機のマイクのみを前記遠隔電話機および／または前記外線電話装置に接続した片方向通話状態に設定する上記（１）ないし（６）のいずれかのキーテレホンシステム。
（８）内線電話機のマイクからの音を録音する録音装置を備え、前記遠隔電話機または前記外線電話装置から、侵入者が発する音の録音を指示する制御信号を受け取った際に、侵入者が発する音をモニタしている前記内線電話機のマイクからの音を前記録音装置に録音する上記（１）ないし７のいずれかのキーテレホンシステム。
（９）前記遠隔電話機または前記外線電話装置から、侵入者に対する威嚇音の発出を指示する制御信号を受け取った際に、侵入者が発する音をモニタしている前記内線電話機のスピーカを接続して、音声による侵入者に対する威嚇音を発出する上記（１）ないし（８）のいずれかのキーテレホンシステム。
（１０）内線電話機と外線との通話機能を有するキーテレホンシステムによるセキュリティ監視方法であって、侵入者を検知するセンサを備え、該センサが侵入者を検知した際に、あらかじめ設定された遠隔電話機に対して、ネットワークを介して自動発呼し、該遠隔電話機が応答した際に、侵入者を検知したことを音声メッセージまたは検知通知音によって通知するセキュリティ監視方法において、前記遠隔電話機から、侵入者が発する音をモニタする内線電話機を指定する制御信号を前記キーテレホンシステムが受け取った際に、該制御信号にて指定された内線電話機のマイク側のみを前記遠隔電話機に接続した片方向通話状態に設定するセキュリティ監視方法。
（１１）前記遠隔電話機から、第三者の外線電話装置への外線発信を指示する制御信号を前記キーテレホンシステムが受け取った際に、該制御信号にて指示された前記外線電話装置へのダイヤル発呼を行い、前記外線電話装置が応答した際に、当該外線電話装置、前記遠隔電話機、および、侵入者が発する音をモニタする前記内線電話機の３者通話状態に切り替える上記（１０）のセキュリティ監視方法。
（１２）前記遠隔電話機から、第三者の外線電話装置への外線発信を指示する制御信号を前記キーテレホンシステムが受け取った際に、侵入者が発する音をモニタする前記内線電話機の接続を一旦保留状態にして、前記制御信号にて指示された前記外線電話装置へのダイヤル発呼を行い、前記外線電話装置が応答した際に、当該外線電話装置と前記遠隔電話機との２者通話状態に設定する上記（１０）のセキュリティ監視方法。
（１３）前記遠隔電話機または前記外線電話装置から、侵入者が発する音をモニタする前記内線電話機を追加接続して３者通話状態に切り替えることを指示する制御信号を前記キーテレホンシステムが受け取った際に、一旦保留状態にあった前記内線電話機、前記外線電話装置、および、前記遠隔電話機の３者通話状態に切り替える上記（１２）のセキュリティ監視方法。
（１４）前記内線電話機、前記外線電話装置、および、前記遠隔電話機の３者通話状態が、前記内線電話機と前記外線電話装置との間は双方向通話状態であり、前記内線電話機については、当該内線電話機のマイクから前記外線電話装置および前記遠隔電話機への片方向通話状態である上記（１１）ないし（１３）のいずれかのセキュリティ監視方法。
（１５）前記外線電話装置の宛先は、前記キーテレホンシステムに外線発信先としてあらかじめ登録されている電話番号、あるいは、前記遠隔電話機の操作により任意に選択されて、外線発信を指示する前記制御信号に外線発信先として含まれている電話番号であることを上記（１１）ないし（１４）のいずれかのセキュリティ監視方法。
（１６）前記遠隔電話機または前記外線電話装置から、侵入者が発する音をモニタする前記内線電話機を切り替えることを指示する制御信号を前記キーテレホンシステムが受け取った際に、該制御信号にて指定された内線電話機に切り替えて、当該内線電話機のマイクのみを前記遠隔電話機および／または前記外線電話装置に接続した片方向通話状態に設定する上記（１０）ないし（１５）のいずれかのセキュリティ監視方法。
（１７）内線電話機のマイクからの音を録音する録音装置を備え、前記遠隔電話機または前記外線電話装置から、侵入者が発する音の録音を指示する制御信号を前記キーテレホンシステムが受け取った際に、侵入者が発する音をモニタしている前記内線電話機のマイクからの音を前記録音装置に録音する上記（１０）ないし（１６）のいずれかのセキュリティ監視方法。
（１８）前記遠隔電話機または前記外線電話装置から、侵入者に対する威嚇音の発出を指示する制御信号を前記キーテレホンシステムが受け取った際に、侵入者が発する音をモニタしている前記内線電話機のスピーカを接続して、音声による侵入者に対する威嚇音を発出する上記（１０）ないし（１７）のいずれかのセキュリティ監視方法。
（１９）上記（１０）ないし（１８）のいずれかのセキュリティ監視方法を、コンピュータにより実行可能なプログラムとして実施しているセキュリティ監視プログラム。
（２０）上記（１９）のセキュリティ監視プログラムを、コンピュータにより読み取り可能な記録媒体に記録しているプログラム記録媒体。
【図面の簡単な説明】
【００６６】
【図１（Ａ）】本発明によるキーテレホンシステムの動作（センサ検知）を説明する説明図である。
【図１（Ｂ）】本発明によるキーテレホンシステムの動作（遠隔操作による電話機Ａのモニタ）を説明する説明図である。
【図１（Ｃ）】本発明によるキーテレホンシステムの動作（遠隔操作による外線発信）を説明する説明図である。
【図１（Ｄ）】本発明によるキーテレホンシステムの動作（外線発信先応答）を説明する説明図である。
【図１（Ｅ）】本発明によるキーテレホンシステムの動作（遠隔操作による電話機Ｂのモニタ）を説明する説明図である。
【図２】本発明によるキーテレホンシステムの全体構成の一例を示すブロック構成図である。
【図３】本発明によるキーテレホンシステムの動作の一例を示す状態遷移図である。
【図４】本発明によるキーテレホンシステムの動作の一例を示すシーケンスチャートである。
【図５】本発明によるキーテレホンシステムの動作の図４とは異なる例を示すシーケンスチャートである。
【符号の説明】
【００６７】
１０      キーテレホンシステム
１０Ａ    内線電話機Ａ
１０Ｂ    内線電話機Ｂ
１１      センサ
１２      内線電話機インターフェース部
１３      スイッチ部
１４      外線インターフェース部
１５      センサインターフェース部（センサＩ／Ｆ：Interface）
１６      ＰＢ信号検出部
１７      音声案内送出部
１８      制御部
１８ａ    センサ処理部
１８ｂ    信号解析部
１８ｃ    通報部
１８ｄ    呼処理部
１９      記憶部
２０      公衆電話網ＰＳＴＮ（公衆網または私設網）
３０      遠隔電話機
４０      外線電話装置
【図１（Ａ）】
0005455177.tif 000002
【図１（Ｂ）】
0005455177.tif 000003
【図１（Ｃ）】
0005455177.tif 000004
【図１（Ｄ）】
0005455177.tif 000005
【図１（Ｅ）】
0005455177.tif 000006
【図２】
0005455177.tif 000007
【図３】
0005455177.tif 000008
【図４】
0005455177.tif 000009
【図５】
0005455177.tif 000010